(57)【特許請求の範囲】
【請求項１】
情報伝送レートよりも高速度な拡散レートで、Ｗａｌｓｈ符号もしくはその並べ替えによって表される拡散符号と、該拡散符号と同じレートでありかつ該拡散符号に対して符号長の充分長い擬似ランダム符号とにより、情報信号を広帯域に拡散し、
前記拡散符号および前記擬似ランダム符号は、予め使用すべき符号番号が定められているとともに、前記拡散符号および前記擬似ランダム符号の少なくとも一方の差異により多重通信を行い、
前記拡散符号および前記擬似ランダム符号を用いた拡散信号を前記拡散レートで位相を９０゜ずつ回転させるための機能を有するとともに、入力された符号番号に応じた符号を出力するための符号生成部と、システムに必要な符号の番号を出力するための制御部とを有するＣＤＭＡ用送信装置において、
前記制御部に対して、前記拡散レートで位相を９０°ずつ回転させる変調であるか否かを示す信号を出力するための機能を付加するとともに、
前記９０°ずつの位相回転をともなう拡散変調時には、入力された符号番号と特定符号番号を２進表現したときの各ビット毎の排他的論理和により得られる符号番号を出力するとともに、前記９０°ずつの位相回転をともなわない拡散変調時には、入力された番号をそのまま出力するための符号番号変換部と、
前記制御部からの前記９０°ずつの位相回転をともなう拡散変調であるか否かを示す信号に基づいて入力信号を切り替えるための入力切替部とを有することを特徴とするＣＤＭＡ用送信装置。
【請求項２】
情報伝送レートよりも高速度な拡散レートで、Ｗａｌｓｈ符号もしくはその並べ替えによって表される拡散符号と、該拡散符号と同じレートでありかつ該拡散符号に対して符号長の充分長い擬似ランダム符号とにより、情報信号を広帯域に拡散し、
前記拡散符号および前記擬似ランダム符号は、予め使用すべき符号番号が定められているとともに、前記拡散符号および前記擬似ランダム符号の少なくとも一方の差異により多重通信を行い、
前記拡散符号および前記擬似ランダム符号を用いた拡散信号を前記拡散レートで位相を９０゜ずつ回転させるための機能を有するとともに、入力された符号番号に応じた符号を出力するための符号生成部と、システムに必要な符号の番号を出力するための制御部を有するＣＤＭＡ用送信装置において、
前記制御部に対して、前記９０°ずつの位相回転をともなう拡散変調時には、出力すべき符号番号と特定符号番号を２進表現したときの各ビット毎の排他的論理和により得られる符号番号を出力するとともに、前記９０°ずつの位相回転をともなわない拡散変調時には、出力すべき符号番号をそのまま出力する機能を付加するとともに、
前記制御部からの前記９０°ずつの位相回転をともなう拡散変調であるか否かを示す信号に基づいて入力信号を切り替えるための入力切替部を有することを特徴とするＣＤＭＡ用送信装置。
【発明の詳細な説明】
【０００１】
【発明の属する技術分野】
本発明は、スペクトル拡散通信およびＣＤＭＡ（Ｃｏｄｅ  ＤｉｖｉｓｉｏｎＭｕｌｔｉｐｌｅ  Ａｃｃｅｓｓ）における送信装置に関する。
【０００２】
【従来の技術】
現在、全世界で標準仕様とすべく、次世代携帯電話システムとして、３ＧＰＰ（３ｒｄ  Ｇｅｎｅｒａｔｉｏｎ  Ｐａｒｔｎｅｒｓｈｉｐ  Ｐｒｏｊｅｃｔ）において、Ｗ（Ｗｉｄｅ  ｂａｎｄ）−ＣＤＭＡ方式が提案され、検討されている。
【０００３】
このようなＷ−ＣＤＭＡ移動端末において、送信機能として３ＧＰＰの規格を満たすためには、図５、図６に示すように、ＤＰＤＣＨ（Ｄｅｌｉｃａｔｅｄ  Ｐｈｉｓｉｃａｌ  Ｄａｔａ  Ｃｈａｎｎｅｌ）／ＤＰＣＣＨ（Ｄｅｌｉｃａｔｅｄ  Ｐｈｉｓｉｃａｌ  Ｃｏｎｔｒｏｌ  Ｃｈａｎｎｅｌ）およびＲＡＣＨ（Ｒａｎｄｏｍ  Ａｃｃｅｓｓ  Ｃｈａｎｎｅｌ）ｍｅｓｓａｇｅパート等の拡散変調と、図７に示すように、ＲＡＣＨ  ｐｒｅａｍｂｌｅパート等の前記９０°ずつの位相回転をともなう拡散変調を行う必要がある。ＤＰＤＣＨ／ＤＰＣＣＨ、およびＲＡＣＨ  ｍｅｓｓａｇｅパート、ＲＡＣＨ  ｐｒｅａｍｂｌｅパート等の拡散変調については、３ＧＰＰ仕様書である「３Ｇ  ＴＳ  ２５．２１３  ｖｅｒｓｉｏｎ  ３．３．０」のＰ９〜Ｐ１１に詳しく記載されている。
【０００４】
図５にＤＰＤＣＨ／ＤＰＣＣＨの拡散変調、図６にＲＡＣＨ  ｍｅｓｓａｇｅパートの拡散変調、図７にＲＡＣＨ  ｐｒｅａｍｂｌｅパートの拡散変調を示す。
なお、図５〜図７において、１０５は演算部（乗算）、１０６は演算部（加算）、１０７はＳｃｒａｍｂｌｉｎｇ  ｃｏｄｅ生成部、８０５は位相回転部、８０８はＳｉｇｎａｔｕｒｅ生成部をそれぞれ示す。
【０００５】
図５および図６から明らかなように、ＤＰＤＣＨ／ＤＰＣＣＨおよびＲＡＣＨｍｅｓｓａｇｅパートの拡散変調は、同一の構成で実現することができるが、図７に示すように、ＲＡＣＨ  ｐｒｅａｍｂｌｅパートの拡散変調は、位相回転要素が必要になるため、従来の送信システムは、例えば図８に示すような構成となっている。
【０００６】
この従来の送信システムは、図８に示すように、ＲＡＣＨ  ｐｒｅａｍｂｌｅパート等の拡散信号（Ｓ１）生成部（８０６）と、ＤＰＤＣＨ／ＤＰＣＣＨ、ＲＡＣＨ  ｍｅｓｓａｇｅパート等の拡散信号（Ｓ２）生成部（８０７）と、制御部（８０１）と、出力切替部（８０４）とを主な構成要素としている。
【０００７】
制御部（８０１）は、ｓｉｇｎａｔｕｒｅ生成部（８０８）、Ｓｃｒａｍｂｌｉｎｇ  Ｃｏｄｅ生成部（１０７ａ，ｂ）、およびＳｐｒｅａｄｉｎｇ  Ｃｏｄｅ生成部（８０２ａ，ｂ）に対して、符号番号等の符号生成に必要なデータを出力する。また、出力Ｓ´として必要な信号が、Ｓ１であるかＳ２であるかを判断し、出力切替部（８０４）に対して切替信号を出力する。
【０００８】
ＲＡＣＨ  ｐｒｅａｍｂｌｅパート等の拡散信号（Ｓ１）は、Ｓｉｇｎａｔｕｒｅ生成部（８０８）、Ｓｃｒａｍｂｌｉｎｇ  Ｃｏｄｅ生成部（１０７ｂ）、演算部（１０５ｇ，１０５ｈ，１０５ｉ，１０６ｂ，１０５ｊ）、および位相回転部（８０５）により生成される。
Ｓｉｇａｔｕｒｅ生成部（８０８）は、制御部（８０１）から必要な符号の番号を受け取り、下記の表２に示すＷａｌｓｈ符号を生成するための部分である。
【０００９】
生成された符号は、演算部（１０５ｇ，１０５ｈ）において、入力である「１」とそれぞれ乗算されて、Ｓｉ，Ｓｑとなる。これらの信号は、演算部（１０５ｉ）および演算部（１０６ｂ）において、ＳｉとＳｑの２つの成分をそれぞれ同相成分、直交成分とする複素信号（Ｓｉ＋ｊＳｑ）に変換される。
【００１０】
Ｓｃｒａｍｂｌｉｎｇ  Ｃｏｄｅ生成部（１０７ｂ）は、制御部（８０１）から初期値、生成タイミング値等の設定値を受け、符号長の充分長い擬似ランダム符号を生成するための部分である。
生成された符号は、演算部（１０５ｊ）において、上記複素信号（Ｓｉ＋ｊＳｑ）と乗算され、位相回転部（８０５）に出力される。
【００１１】
位相回転部（８０５）では、入力された信号に対して、例えば図１０に示すように、他部の動作クロックに同期した速度で、始点（１，１）から９０度ずつの位相の回転を行い、Ｓ１として出力する。ここで、Ｉ（同相成分），Ｑ（直交成分）別に注目して、考えると４点の動きはそれぞれ以下の符号で表される。
Ｉ（１，−１，−１，１，…）
Ｑ（１，１，−１，−ｌ，…）
この符号は、それぞれ下記表２におけるＷａｌｓｈ符号の３番および２番と一致する。
【００１２】
よって、位相回転部（８０５）は、図９に示すように、演算を行うブロック（１０５ｋ，ｌ）とＷａｌｓｈ符号生成部（８０９ａ，ｂ）で構成される。
ＤＰＤＣＨ／ＤＰＣＣＨ、ＲＡＣＨ  ｍｅｓｓａｇｅパート等の拡散信号（Ｓ２）は、ＩｉｎとＱｉｎの２つの入力、Ｓｐｒｅａｄｉｎｇ  Ｃｏｄｅ生成部（８０２ａ，ｂ）、数個の演算部（１０５ａ，１０５ｂ，１０５ｃ，１０５ｄ，１０５ｅ，１０６ａ，１０５ｆ）、およびＳｃｒａｍｂｌｉｎｇ  Ｃｏｄｅ  生成部（１０７ａ）により生成される。
【００１３】
Ｓｐｒｅａｄｉｎｇ  Ｃｏｄｅ生成部（８０２ａ，８０２ｂ）は、制御部（８０１）から必要な符号の番号を受け取り、下記表１に示す階層化直交符号を生成する部分である。生成された符号は、演算部（１０５ａ，１０５ｂ）で入力信号Ｉｉｎ，Ｑｉｎにそれぞれ乗算され、さらにゲインファクタβｄ，βｃがそれぞれ演算部（１０５ｃ，１０５ｄ）で乗算され、Ｉｓ，Ｑｓとなる。これらの信号は、演算部（１０５ｅ）および演算部（１０６ａ）において、ＩｓとＱｓをそれぞれ同相成分、直交成分とする複素信号（Ｉｓ＋ｊＱｓ）に変換される。
【００１４】
演算部（１０５ｆ）は、Ｓｃｒａｍｂｌｉｎｇ  Ｃｏｄｅ生成部（１０７ａ）で生成された符号長の充分長い擬似ランダム符号と、上記複素信号（Ｉｓ＋ｊＱｓ）を積算し、Ｓ２として出力する。
出力切替部（８０４）は、制御部（８０１）からの切替信号を受け、全体の出力Ｓ´として、ＲＡＣＨ  ｐｒｅａｍｂｌｅパート等の拡散信号（Ｓ１）、あるいはＤＰＤＣＨ／ＤＰＣＣＨ、ＲＡＣＨ  ｍｅｓｓａｇｅパート等の拡散信号（Ｓ２）のどちらか一方を出力する。
【００１５】
【表１】
0003602476.tif 000002
【００１６】
【表２】
0003602476.tif 000003
【００１７】
以上の構成により、ＲＡＣＨ  ｐｒｅａｍｂｌｅパート等の拡散レートで位相を９０°ずつ回転させる拡散信号およびＤＰＤＣＨ／ＤＰＣＣＨ、ＲＡＣＨ  ｍｅｓｓａｇｅパート等の拡散レートで９０°ずつの位相回転をともなわない拡散信号を送信するシステムを実現している。
上述した技術については、３ＧＰＰ仕様書「３Ｇ  ＴＳ  ２５．２１３  ｖｅｒｓｉｏｎ  ３．３．０」のｐ９〜Ｐ２２に詳しく記載されている。
【００１８】
【発明が解決しようとする課題】
しかしながら、上述した従来の送信システムでは、ＲＡＣＨ  ｐｒｅａｍｂｌｅパート等の拡散レートで９０°ずつの位相回転をともなう拡散信号生成部とＤＰＤＣＨ／ＤＰＣＣＨ、ＲＡＣＨ  ｍｅｓｓａｇｅパート等の拡散レートで９０°ずつの位相回転をともなわない拡散信号生成部を並列に有するため、回路規模ゲートサイズが肥大化して、消費電力も増加するという問題があった。
【００１９】
本発明は、上述した問題点に鑑み提案されたもので、ＲＡＣＨ  ｐｒｅａｍｂｌｅパート等の拡散変調およびそれ以外のＤＰＤＣＨ／ＤＰＣＣＨ、ＲＡＣＨ  ｍｅｓｓａｇｅパート等の拡散変調を、より小さな回路規模で実現することが可能なＣＤＭＡ用送信装置を提供することを目的とする。
【００２０】
【課題を解決するための手段】
本発明に係るＣＤＭＡ用送信装置は、情報伝送レートよりも高速度な拡散レートで、Ｗａｌｓｈ符号もしくはその並べ替えによって表される拡散符号と、該拡散符号と同じレートでありかつ該拡散符号に対して符号長の充分長い擬似ランダム符号とにより、情報信号を広帯域に拡散し、前記拡散符号および前記擬似ランダム符号は、予め使用すべき符号番号が定められているとともに、前記拡散符号および前記擬似ランダム符号の少なくとも一方の差異により多重通信を行い、前記拡散符号および前記擬似ランダム符号を用いた拡散信号を前記拡散レートで位相を９０゜ずつ回転させるための機能を有するとともに、入力された符号番号に応じた符号を出力するための符号生成部と、システムに必要な符号の番号を出力するための制御部とを有するＣＤＭＡ用送信装置において、
前記制御部に対して、前記９０°ずつの位相回転をともなう拡散変調であるか否かを示す信号を出力するための機能を付加するとともに、前記９０°ずつの位相回転をともなう拡張変調時には、入力された符号番号と特定符号番号を２進表現したときの各ビット毎の排他的論理和により得られる符号番号を出力するとともに、前記９０°ずつの位相回転をともなわない拡散変調時には、入力された符号番号をそのまま出力するための符号番号変換部と、前記制御部からの前記９０°ずつの位相回転をともなう拡散変調であるか否かを示す信号に基づいて入力信号を切り替えるための入力切替部とを有することを特徴とするものである。
【００２１】
このような構成とすることにより、ＲＡＣＨ  ｐｒｅａｍｂｌｅパート等の拡散変調で必要であった位相回転要素を削減することができる。その結果、ＲＡＣＨ  ｐｒｅａｍｂｌｅパート等の拡散変調と、それ以外のＤＰＤＣＨ／ＤＰＣＣＨ、ＲＡＣＨ  ｍｅｓｓａｇｅパート等の拡散変調を一体化できるため、回路規模を縮小することができる。
【００２２】
また、本発明に係るＣＤＭＡ用送信装置は、情報伝送レートよりも高速度な拡散レートで、Ｗａｌｓｈ符号もしくはその並べ替えによって表される拡散符号と、該拡散符号と同じレートでありかつ該拡散符号に対して符号長の充分長い擬似ランダム符号とにより、情報信号を広帯域に拡散し、前記拡散符号および前記擬似ランダム符号は、予め使用すべき符号番号が定められているとともに、前記拡散符号および前記擬似ランダム符号の少なくとも一方の差異により多重通信を行い、前記拡散符号および前記擬似ランダム符号を用いた拡散信号を前記拡散レートで位相を９０゜ずつ回転させるための機能を有するとともに、入力された符号番号に応じた符号を出力するための符号生成部と、システムに必要な符号の番号を出力するための制御部を有するＣＤＭＡ用送信装置において、
前記制御部に対して、前記９０°ずつの位相回転をともなう拡散変調時には、出力すべき符号番号と特定符号番号を２進表現したときの各ビット毎の排他的論理和により得られる符号番号を出力するとともに、前記９０°ずつの位相回転をともなわない拡散変調時には、出力すべき番号をそのまま出力する機能を付加するとともに、前記制御部からの前記９０°ずつの位相回転をともなう拡散変調であるか否かを示す信号に基づいて入力信号を切り替えるための入力切替部を有することを特徴とするものである。
【００２３】
このような構成とすることにより、符号番号変換部を削減することができ、さらなる回路規模の縮小を実現することが可能となる。
【００２４】
【発明の実施の形態】
以下、図面を参照しながら、本発明に係るＣＤＭＡ用送信装置の一実施形態について説明する。
【００２５】
まず、先に説明した従来の技術（図８参照）において、ＲＡＣＨ  ｐｒｅａｍｂｌｅパート等の拡散信号（Ｓ１）生成部（８０６）に注目する。
位相回転部（８０５）内にＷａｌｓｈ符号を生成する部分を有し、また、Ｓｉｇｎａｔｕｒｅ生成部（８０８）もＷａｌｓｈ符号を生成する部分であることに着目し、演算の順序を入れ替えて、Ｓｉｇｎａｔｕｒｅ生成部（８０８）と位相回転部（８０５）とを組み合わせることにより、Ｗａｌｓｈ符号とＷａｌｓｈ符号の積になる部分を作り出すことができる。
【００２６】
具体的に式で表すと、
入力信号をＩＮ（＋１）、Ｓｉｇｎａｔｕｒｅ生成部で生成されるＷａｌｓｈ符号をＷａｌ−ｓ、位相回転部で乗算されるＷａｌｓｈ符号をＷａｌ−ｒｉおよびＷａｌ−ｒｑ、Ｓｃｒａｍｂｌｉｎｇ  Ｃｏｄｅ生成部から生成される符号をＳｐ，Ｓｌの同相成分をＳｌｉ、直交成分をＳｌｑとすると、
従来の技術では、
Ｓ１ｉ＝ＩＮ  ×  Ｗａｌ−ｓ  ×  Ｓｐ  ×  Ｗａｌ−ｒｉ
Ｓｌｑ＝ＩＮ  ×  Ｗａｌ−ｓ  ×  Ｓｐ  ×  Ｗａｌ−ｒｑ
となるが、この式における演算順序を入れ替えて、
Ｓ１ｉ＝ＩＮ  ×  （Ｗａｌ−ｓ  ×  Ｗａｌ−ｒｉ）  ×  Ｓｐ
Ｓｌｑ＝ＩＮ  ×  （Ｗａｌ−ｓ  ×  Ｗａｌ−ｒｑ）  ×  Ｓｐ
とすることにより、Ｗａｌｓｈ符号とＷａｌｓｈ符号の積になる部分を作り出す。
【００２７】
Ｓｌｉだけに着目して上述した考察を図示すると、図２のようになる。
ここで、Ｗａｌｓｈ符号を行列表現したとき、このＷａｌｓｈ行列の任意の２行の要素を掛け合わせれば、同じ行列内の他の行の要素が生じることに着目する。
【００２８】
「電子情報通信学会ディジタル信号処理の基礎（辻井重雄監修）」によると、Ｗａｌｓｈ符号を、それぞれＷａｌ（ｘ，θ）、Ｗａｌ（ｙ，θ）とすると、これらの積は、
Ｗａｌ（ｘ，θ）×  Ｗａｌ（ｙ，θ）＝  Ｗａｌ（（ｘ  ＥＸＯＲ  ｙ），θ）・・・（式１）
となる。
ただし、ＥＸＯＲは、ｘ、ｙを２進表現したとき、各ビット毎の排他的論理和で整数を作る演算を意味する。例えば、上記表２における５番の符号と３番の符号の要素の積は、下記表３のようになる。
【００２９】
【表３】
0003602476.tif 000004
【００３０】
上記式１から、
Ｗａｌ（５，θ）  ×  Ｗａｌ（３，θ）＝Ｗａｌ（５  ＥＸＯＲ  ３），θ）＝Ｗａｌ（６，θ）
となり、上記表２より、６番の符号は、下記表４であるから、上記演算式の結果は正しいことがわかる。
【００３１】
【表４】
0003602476.tif 000005
【００３２】
よって、図２におけるＷａｌｓｈ  ×  Ｗａｌｓｈ符号計算部（２０２）は、図３に示すように、上記したような符号番号同士を２進表現したときの各ビット毎の排他的論理和による符号番号変換を行う符号番号変換部（１０２）と、Ｗａｌｓｈ符号生成部（１０４）に置き換えることができる。
【００３３】
次に、ＤＰＤＣＨ／ＤＰＣＣＨ、ＲＡＣＨ  ｍｅｓｓａｇｅパート等の拡散信号（Ｓ２）の生成部（８０７）について考える。
Ｓｐｒｅａｄｉｎｇ  Ｃｏｄｅ生成部（８０２ａ，ｂ）が生成するＳｐｒｅａｄｉｎｇ  Ｃｏｄｅは、階層化直交符号系列からなる。階層化直交符号系列は、拡散率毎に１つの行列であると見なせば、Ｗａｌｓｈ符号と本質的には同じであり、符号番号を変換することによりＷａｌｓｈ符号を生成するのと同じアルゴリズムで生成することができる。よって、Ｓｐｒｅａｄｉｎｇ  Ｃｏｄｅ生成部（８０２ａ，ｂ）は、ＲＡＣＨ  ｐｒｅａｍｂｌｅパート等の拡散変調で使用するＷａｌｓｈ生成部（１０４）と共用化することができる。
【００３４】
以下、上述した説明を前提として、本発明の一実施形態に係るＣＤＭＡ用送信装置を説明する。
まず、本発明の実施例１に係るＣＤＭＡ用送信装置の回路構成について、図１を用いて説明する。
【００３５】
図１は、本発明の実施例１に係るＣＤＭＡ用送信装置の回路構成を示すブロック図である。
本発明の実施例１に係るＣＤＭＡ用送信装置は、図１に示すように、制御部（１０１）、入力Ｉｉｎ，Ｑｉｎ、各入力用の符号番号変換部（１０２ａ，ｂ）、各入力用のＷａｌｓｈ符号生成部（１０４ａ，ｂ）、Ｓｃｒａｍｂｌｉｎｇ  Ｃｏｄｅ生成部（１０７）、入力切替部（１０３）、数個の演算部（１０５ａ、１０５ｂ，１０５ｃ，１０５ｄ，１０５ｅ，１０６，１０５ｆ）からなる。
【００３６】
次に、実施例１の回路の各部分を具体的に説明する。
制御部（１０１）は、ＲＡＣＨ  ｐｒｅａｍｂｌｅパート等の拡散信号を得たい場合に、Ｓｉｇｎａｔｕｒｅを生成するためのＷａｌｓｈ符号の番号と、ＲＡＣＨ  ｐｒｅａｍｂｌｅパート等の拡散信号を出力するモードであることを示す変調モード信号を出力し、ゲインファクタβｄ，βｃにともに「１」を設定し出力する。ＤＰＤＣＨ／ＤＰＣＣＨ、ＲＡＣＨ  ｍｅｓｓａｇｅパート等の拡散信号を得たい場合には、Ｓｐｒｅａｄｉｎｇ  Ｃｏｄｅとしての階層化直交符号の符号番号をＷａｌｓｈ符号の番号に変換した番号と、ＤＰＤＣＨ／ＤＰＣＣＨ、ＲＡＣＨ  ｍｅｓｓａｇｅパート等の拡散信号を出力する変調モードであることを示す変調モード信号を出力し、ゲインファクタβｄ，βｃに各々適切な値を設定して出力する。
【００３７】
入力切替部（１０３）は、ＲＡＣＨ  ｐｒｅａｍｂｌｅパート等の拡散信号を出力することを示す変調モード信号を受けた場合に、Ｉ’，Ｑ’ともに「１」を出力する。一方、ＤＰＤＣＨ／ＤＰＣＣＨ、ＲＡＣＨ  ｍｅｓｓａｇｅパート等の拡散信号を出力することを示す変調モード信号を受けた場合に、Ｉ’，Ｑ’ともに入力された信号Ｉｉｎ，Ｑｉｎをそのまま出力する。
【００３８】
符号番号変換部（１０２）は、ＲＡＣＨ  ｐｒｅａｍｂｌｅパート等の拡散信号を出力することを示す変調モード信号を受けた場合に、入力された符号番号と、例えば上述した例ではＷａｌｓｈ符号生成部（１０４ａ）に対しては３番、Ｗａｌｓｈ符号生成部（１０４ｂ）に対しては２番としたような特定の符号番号を２進表現したときの各ビット毎の排他的論理和により得られる符号番号を出力する。一方、ＤＰＤＣＨ／ＤＰＣＣＨ、ＲＡＣＨ  ｍｅｓｓａｇｅパート等の拡散信号を出力することを示す変調モード信号を受けた場合には、制御部１０１から受けた符号番号をそのまま出力する。
Ｗａｌｓｈ符号生成部（１０４ａ，ｂ）は、符号番号変換部（１０２ａ，ｂ）から出力された符号番号に対応したＷａｌｓｈ符号を生成して出力する。
【００３９】
演算部（１０５ａ，ｂ）は、Ｗａｌｓｈ符号生成部（１０４ａ，ｂ）から出力されたＷａｌｓｈ符号と、入力切替部（１０３）から出力された入力信号（Ｉ’，Ｑ’）を乗算し、演算部（１０５ｃ，ｄ）は，これらの信号に対し、ゲインファクタβｄ，βｃを各々乗算し、Ｉ，Ｑを出力する。また、演算部（１０５ｅ，１０６）は、Ｉ，Ｑの２つの成分を複素信号に変換するための計算を行う。さらに、演算部（１０５ｆ）は、演算部（１０６）で得られた結果に対して、Ｓｃｒａｍｂｌｉｎｇ  ｃｏｄｅ生成部（１０７）で生成したＳｃｒａｍｂｌｉｎｇ  ｃｏｄｅを乗算して出力とする。
【００４０】
次に、実施例１の回路の動作について説明する。
ＲＡＣＨ  ｐｒｅａｍｂｌｅパート等の拡散信号を出力する変調モードである場合には、制御部（１０１）はＳｉｇｎａｔｕｒｅを生成するためのＷａｌｓｈ符号の番号とゲインファクタβｄ＝βｃ＝１とＲＡＣＨ  ｐｒｅａｍｂｌｅパート等の拡散信号を出力するモードであることを示す変調モード信号を出力する。
【００４１】
符号番号変換部（１０２ａ，ｂ）は、この変調モード信号によりＲＡＣＨ  ｐｒｅａｍｂｌｅパート等の拡散信号を出力する変調モードであることを判断し、入力された符号番号と、例えば上述した例ではＷａｌｓｈ符号生成部（１０４ａ）に対しては３番、Ｗａｌｓｈ符号生成部（１０４ｂ）に対しては２番としたように特定の符号番号を２進表現したときの各ビット毎の排他的論理和により得られる符号番号を出力する。
この結果を受けたＷａｌｓｈ符号生成部（１０４ａ，ｂ）は、符号番号に対応したＷａｌｓｈ符号を各々生成して出力する。
【００４２】
また、入力切替部（１０３）は、変調モード信号によりＲＡＣＨ  ｐｒｅａｍｂｌｅパート等の拡散信号を出力する変調モードであること判断し、Ｉ’，Ｑ’ともに「１」を出力する。
これ以降の動作は、従来の技術とほぼ同様であるため、詳細な説明は省略する。
【００４３】
一方、ＤＰＤＣＨ／ＤＰＣＣＨ、ＲＡＣＨ  ｍｅｓｓａｇｅパート等の拡散信号を出力する変調モードである場合には、制御部（１０１）は、Ｓｐｒｅａｄｉｎｇ  Ｃｏｄｅとして、階層化直交符号の符号番号をＷａｌｓｈ符号の番号に変換した符号番号と、ＤＰＤＣＨ／ＤＰＣＣＨ、ＲＡＣＨ  ｍｅｓｓａｇｅパート等の拡散信号を出力する変調モードであることを示す変調モード信号を出力し、ゲインファクタβｄ，βｃに各々適切な値を設定する。
符号番号変換部（１０２ａ，ｂ）は、この変調モード信号によりＤＰＤＣＨ／ＤＰＣＣＨ、ＲＡＣＨ  ｍｅｓｓａｇｅパート等の拡散信号を出力する変調モードであることを判断し、入力された符号番号をそのまま出力する。よって、Ｗａｌｓｈ符号生成部（１０４ａ，ｂ）は、結果的には制御部（１０１）から出力された符号番号をそのまま用いて符号を生成し、Ｓｐｒｅａｄｉｎｇ  Ｃｏｄｅとして出力する。
【００４４】
入力切替部（１０３）は、変調モード信号によりＤＰＤＣＨ／ＤＰＣＣＨ、ＲＡＣＨ  ｍｅｓｓａｇｅパート等の拡散信号を出力する変調モードであることを判断し、Ｉ’，Ｑ’ともに入力された信号（Ｉｉｎ，Ｑｉｎ）をそのまま出力する。
これ以降の動作は、従来の技術とほぼ同様であるため、詳細な説明は省略する。
このように、図１に示す回路構成を用いることにより、ＲＡＣＨ  ｐｒｅａｍｂｌｅパート等の拡散信号を出力する変調モードおよびＤＰＤＣＨ／ＤＰＣＣＨ、ＲＡＣＨ  ｍｅｓｓａｇｅパート等の拡散信号を出力する変調モードにおける拡散変調を、１つの拡散変調ブロックで実現することができる。
【００４５】
次に、本発明の実施例２に係るＣＤＭＡ用送信装置の回路構成について、図４を用いて説明する。
図４は、本発明の実施例２に係るＣＤＭＡ用送信装置の回路構成を示すブロック図である。
本発明の実施例２に係るＣＤＭＡ用送信装置は、図１に示す実施例１の回路と比較して、符号番号変換部（１０２ａ，ｂ）が行っていた演算を、制御部（４０１）が行うことにより、符号番号変換部（１０２ａ，ｂ）を省略している点が異なっている。
【００４６】
本発明の実施例２に係るＣＤＭＡ用送信装置は、図４に示すように、制御部（４０１）、入力Ｉｉｎ，Ｑｉｎ、各入力用のＷａｌｓｈ符号生成部（１０４ａ，ｂ）、Ｓｃｒａｍｂｌｉｎｇ  Ｃｏｄｅ生成部（１０７）、入力切替部（１０３）、数個の演算部（１０５ａ、１０５ｂ，１０５ｃ，１０５ｄ，１０５ｅ，１０６，１０５ｆ）からなる。
【００４７】
次に、実施例２の回路の各部分を具体的に説明する。
制御部（４０１）は、ＲＡＣＨ  ｐｒｅａｍｂｌｅパート等の拡散信号を出力する場合に、ＲＡＣＨ  ｐｒｅａｍｂｌｅパート等の拡散信号を出力する変調モードであることを示す変調モード信号、およびＳｉｇｎａｔｕｒｅ生成用のＷａｌｓｈ符号の番号と、特定のＷａｌｓｈ符号の符号番号を２進表現したときの各ビット毎の排他的論理和により得られる符号番号を出力する。
それ以外の部分は、上述した実施例１とほぼ同様であるため、詳細な説明を省略する。
【００４８】
次に、実施例２の回路の動作について説明する。
ＲＡＣＨ  ｐｒｅａｍｂｌｅパート等の拡散信号を出力する変調モードである場合には、制御部（４０１）はＳｉｇｎａｔｕｒｅ生成用のＷａｌｓｈ符号の番号と、特定のＷａｌｓｈ符号の符号番号を２進表現したときの各ビット毎の排他的論理和により得られる符号番号と、ゲインファクタβｄ＝βｃ＝１を出力し、さらにＲＡＣＨ  ｐｒｅａｍｂｌｅ等の拡散信号を出力する変調モードであることを示す変調モード信号を出力する。
【００４９】
制御部（４０１）で生成された符号番号を受けたＷａｌｓｈ符号生成部（１０４ａ，ｂ）は、符号番号に対応したＷａｌｓｈ符号を生成して出力する。
また、入力切替部（１０３）は、変調モード信号によりＲＡＣＨ  ｐｒｅａｍｂｌｅパート等の拡散信号を出力する変調モードであることを判断し、Ｉ’，Ｑ’ともに「１」を出力する。
これ以降の動作は、従来の技術とほぼ同様であるため、詳細な説明は省略する。
このように、実施例２の回路構成を用いることにより、上述した実施例１の回路構成と比較して、符号番号変換部（１０２ａ，ｂ）を省略することができる。
【００５０】
【発明の効果】
本発明に係るＣＤＭＡ用送信装置によれば、制御部に対して、拡散信号の位相を９０°ずつ回転させる変調であるか否かを示す信号を出力する機能を付加し、拡散信号の位相を９０°ずつ回転させる変調を行う時には、入力されたＷａｌｓｈ符号の符号番号と特定符号番号を２進表現したときの各ビット毎の排他的論理和により得られる符号番号を出力するとともに、前記位相回転をともなわない変調をおこなう時には、入力された符号番号をそのまま出力するための符号番号変換部を有することにより、拡散信号の位相を９０°ずつ回転させる変調を行う回路と、前記位相回転をともなわない変調を行う回路を共用化して、回路規模を大幅に削減することができる。
【００５１】
また、本発明に係るＣＤＭＡ用送信装置によれば、制御部に対して、拡散信号の位相を９０°ずつ回転させる変調を行う時には、出力すべき符号番号と特定符号番号を２進表現したときの各ビット毎の排他的論理和により得られる符号番号を出力するとともに、前記位相回転をともなわない変調を行う時には、出力すべき符号番号をそのまま出力する機能を付加し、さらに、制御部からの拡散信号の位相を９０°ずつ回転させる変調であるか否かを示す信号を受けて入力信号を切り替える入力切替部を有することにより、符号番号変換部の回路を削減することができる。
【図面の簡単な説明】
【図１】本発明の実施例１に係るＣＤＭＡ用送信装置の回路構成を示すブロック図である。
【図２】位相回転をともなう変調を行う（Ｉｃｈ側の）構成を示すブロック図である。
【図３】位相回転をともなう変調を行う（Ｉｃｈ側の）構成を変形した例を示す構成図である。
【図４】本発明の実施例２に係るＣＤＭＡ用送信装置の回路構成を示すブロック図である。
【図５】従来の送信システムにおけるＤＰＤＣＨ／ＤＰＣＣＨの拡散変調部の概念図である。
【図６】従来の送信システムにおけるＲＡＣＨ  ｍｅｓｓａｇｅ  ｐａｒｔの拡散変調部の概念図である。
【図７】従来の送信システムにおけるＰＲＡＣＨ  ｐｒｅａｍｂｌｅ送信システムの構成図である。
【図８】従来の送信システムにおける拡散変調部の構成図である。
【図９】図８における位相回転部の詳細を示す説明図である。
【図１０】図９における位相回転部の詳細を示す説明図である。
【符号の説明】
１０１，２０１，４０１，８０１  制御部
１０２ａ，ｂ  符号変換部
１０３  入力切替部
１０４，１０４ａ〜ｂ  Ｗａｌｓｈ符号生成部
１０５、１０５ａ〜ｌ  演算部（乗算）
１０６，１０６ａ〜ｂ  演算部（加算）
１０７，１０７ａ〜ｂ  Ｓｃｒａｍｂｌｉｎｇ  ｃｏｄｅ生成部
２０２  Ｗａｌｓｈ  ×  Ｗａｌｓｈ符号計算部
８０２ａ，ｂ  Ｓｐｒｅａｄｉｎｇ  Ｃｏｄｅ生成部
８０４  出力切替部
８０５  位相回転部
８０６  位相回転をともなう拡散信号生成部
８０７  位相回転をともなわない拡散信号生成部
８０８  Ｓｉｇｎａｔｕｒｅ生成部
【図１】
0003602476.tif 000006
【図２】
0003602476.tif 000007
【図３】
0003602476.tif 000008
【図４】
0003602476.tif 000009
【図５】
0003602476.tif 000010
【図６】
0003602476.tif 000011
【図７】
0003602476.tif 000012
【図８】
0003602476.tif 000013
【図９】
0003602476.tif 000014
【図１０】
0003602476.tif 000015